(57)【要約】【課題】機能性を高め得る。【解決手段】紙幣入出金機１０は、上下方向に沿って重なって堆積するように紙幣を収納する紙幣収納部３６と、紙幣収納部３６の下方に設けられ紙幣を整列保持するステージ４０と、ステージ４０をほぼ上下方向に沿って移動させる昇降駆動部３８と、不正行為が検知されると昇降駆動部３８によりステージ４０を上昇させるステージ上昇動作を行った後、ステージ４０を下降させながら紙幣を着色するインクを蓄えるインクタンク７０からインクを噴射するステージ下降インク噴射動作を行い、紙幣を汚損する紙幣汚損部６９とを設ける。【選択図】図３
2015153242.tif 000002
【特許請求の範囲】
【請求項１】
上下方向に沿って重なって堆積するように紙幣を収納する紙幣収納部と、
前記紙幣収納部の下方に設けられ前記紙幣を保持するステージと、
前記ステージをほぼ上下方向に沿って移動させる駆動部と、
不正行為が検知されると前記駆動部により前記ステージを上昇させるステージ上昇動作を行った後、前記ステージを下降させながら前記紙幣を着色するインクを蓄える貯蔵部から前記インクを噴射するステージ下降インク噴射動作を行い、前記紙幣を汚損する紙幣汚損部と
を有する現金収納装置。
【請求項２】
前記駆動部は、前記紙幣が自重で落下する速さよりも速く前記ステージを下降させる
請求項１に記載の現金収納装置。
【請求項３】
前記紙幣の少なくとも一部を下方に窪ませる窪み形成部
をさらに有する
請求項１に記載の現金収納装置。
【請求項４】
前記窪み形成部は、前記紙幣収納部の上方に設けられ前記紙幣収納部から前記紙幣を外部へ排出する繰出ローラと、前記繰出ローラに対向する位置に孔部が形成された前記ステージとを有し、
前記駆動部は、前記紙幣を前記繰出ローラに押し付け、前記紙幣に窪みを形成する
請求項３に記載の現金収納装置。
【請求項５】
前記窪み形成部は、前記紙幣収納部の上方に配され前記紙幣の上面をガイドし、前記紙幣を挟んで前記ステージと対向し前記紙幣に向かって突出する突出部が形成された上面ガイドと、前記突出部に対向する位置に孔部が形成された前記ステージとを有し、
前記駆動部は、前記紙幣を前記突出部に押し付け、前記紙幣に窪みを形成する
請求項３に記載の現金収納装置。
【請求項６】
前記駆動部は、前記ステージ上昇動作及び前記ステージ下降インク噴射動作を繰り返す
請求項１に記載の現金収納装置。
【請求項７】
上下方向に沿って重なって堆積するように紙幣を収納する紙幣収納部と、
前記紙幣収納部の下方に設けられ前記紙幣を保持するステージと、
前記ステージの面方向を水平方向に対し傾ける駆動部と、
不正行為が検知されると前記駆動部により前記ステージの一端側が上方へ持ち上がるよう傾けつつ前記紙幣を着色するインクを蓄える貯蔵部から前記インクを噴射するステージ一端側持上インク噴射動作を行った後、前記ステージの他端側が上方へ持ち上がるよう傾けつつ前記インクを噴射するステージ他端側持上インク噴射動作を行い、前記紙幣を汚損する紙幣汚損部と
を有する現金収納装置。
【請求項８】
前記駆動部は、前記ステージ一端側持上インク噴射動作及び前記ステージ他端側持上インク噴射動作を繰り返す
請求項７に記載の現金収納装置。
【請求項９】
紙幣に関する取引を受け付ける接客部と、
前記紙幣を上下方向に沿って重なって堆積するように収納する紙幣収納部と、
前記紙幣収納部の下方に設けられ前記紙幣を保持するステージと、
前記ステージをほぼ上下方向に沿って移動させる駆動部と、
不正行為が検知されると前記駆動部により前記ステージを上昇させるステージ上昇動作を行った後、前記ステージを下降させながら前記紙幣を着色するインクを蓄える貯蔵部から前記インクを噴射するステージ下降インク噴射動作を行い、前記紙幣を汚損する紙幣汚損部と
を有する現金取引装置。
【請求項１０】
紙幣に関する取引を受け付ける接客部と、
前記紙幣を上下方向に沿って重なって堆積するように収納する紙幣収納部と、
前記紙幣収納部の下方に設けられ前記紙幣を保持するステージと、
前記ステージの面方向を水平方向に対し傾ける駆動部と、
不正行為が検知されると前記駆動部により前記ステージの一端側が上方へ持ち上がるよう傾けつつ前記紙幣を着色するインクを蓄える貯蔵部から前記インクを噴射するステージ一端側持上インク噴射動作を行った後、前記ステージの他端側が上方へ持ち上がるよう傾けつつ前記インクを噴射するステージ他端側持上インク噴射動作を行い、前記紙幣を汚損する紙幣汚損部と
を有する現金取引装置。
【発明の詳細な説明】
【技術分野】
【０００１】
本発明は現金収納装置及び現金取引装置に関し、例えば紙幣にインクを付着させて盗難を抑制する現金自動取引装置（ＡＴＭ：Automatic Teller Machine）等に適用して好適なものである。
【背景技術】
【０００２】
従来、コンビニエンスストアや金融機関には、現金自動預払機や現金自動支払機等の現金自動取引装置が配設されており、この現金自動取引装置には、顧客が入金した紙幣を収納すると共に出金する際に紙幣を繰り出す紙幣収納庫が内蔵されている。
【０００３】
近年、この現金を狙って、ブルドーザ、パワーショベル等の重機を使用して現金自動取引装置の紙幣収納庫を破壊して現金を盗み出したり、現金自動取引装置をそのまま持ち去ったりする盗難が増加している。そこで、この紙幣収納庫に収納された紙幣の盗難防止策として、現金自動取引装置への破壊行為を検出して紙幣収納庫内の紙幣の隙間にインクを噴射して紙幣を汚損させる防犯対策が採られている（例えば、特許文献１参照）。
【先行技術文献】
【特許文献】
【０００４】
【特許文献１】特開２００６−３３８２１８号公報
【発明の概要】
【発明が解決しようとする課題】
【０００５】
このような現金自動取引装置においては、紙幣にインクを可能な限り多く付着させることが望まれている。
【０００６】
本発明は以上の点を考慮してなされたもので、機能性を高め得る現金収納装置及び現金取引装置を提案しようとするものである。
【課題を解決するための手段】
【０００７】
かかる課題を解決するため本発明の現金収納装置においては、上下方向に沿って重なって堆積するように紙幣を収納する紙幣収納部と、紙幣収納部の下方に設けられ紙幣を保持するステージと、ステージをほぼ上下方向に沿って移動させる駆動部と、不正行為が検知されると駆動部によりステージを上昇させるステージ上昇動作を行った後、ステージを下降させながら紙幣を着色するインクを蓄える貯蔵部からインクを噴射するステージ下降インク噴射動作を行い、紙幣を汚損する紙幣汚損部とを設けるようにした。
【０００８】
また本発明の現金収納装置においては、上下方向に沿って重なって堆積するように紙幣を収納する紙幣収納部と、紙幣収納部の下方に設けられ紙幣を保持するステージと、ステージの面方向を水平方向に対し傾ける駆動部と、不正行為が検知されると駆動部によりステージの一端側が上方へ持ち上がるよう傾けつつ紙幣を着色するインクを蓄える貯蔵部からインクを噴射するステージ一端側持上インク噴射動作を行った後、ステージの他端側が上方へ持ち上がるよう傾けつつインクを噴射するステージ他端側持上インク噴射動作を行い、紙幣を汚損する紙幣汚損部とを設けるようにした。
【０００９】
この現金収納装置は、不正行為の発生時、より一層紙幣にインクを付着させることができる。
【００１０】
さらに本発明の現金取引装置においては、紙幣に関する取引を受け付ける接客部と、紙幣を上下方向に沿って重なって堆積するように収納する紙幣収納部と、紙幣収納部の下方に設けられ紙幣を保持するステージと、ステージをほぼ上下方向に沿って移動させる駆動部と、不正行為が検知されると駆動部によりステージを上昇させるステージ上昇動作を行った後、ステージを下降させながら紙幣を着色するインクを蓄える貯蔵部からインクを噴射するステージ下降インク噴射動作を行い、紙幣を汚損する紙幣汚損部とを設けるようにした。
【００１１】
さらに本発明の現金取引装置においては、紙幣に関する取引を受け付ける接客部と、紙幣を上下方向に沿って重なって堆積するように収納する紙幣収納部と、紙幣収納部の下方に設けられ紙幣を保持するステージと、ステージの面方向を水平方向に対し傾ける駆動部と、不正行為が検知されると駆動部によりステージの一端側が上方へ持ち上がるよう傾けつつ紙幣を着色するインクを蓄える貯蔵部からインクを噴射するステージ一端側持上インク噴射動作を行った後、ステージの他端側が上方へ持ち上がるよう傾けつつインクを噴射するステージ他端側持上インク噴射動作を行い、紙幣を汚損する紙幣汚損部とを設けるようにした。
【００１２】
この現金取引装置は、不正行為の発生時、紙幣収納庫に収納された紙幣により一層インクを付着させることができる。
【発明の効果】
【００１３】
本発明によれば、不正行為の発生時、より一層紙幣にインクを付着させることができ、かくして本発明は、機能性を高め得る現金収納装置及び現金取引装置を実現できる。
【図面の簡単な説明】
【００１４】
【図１】現金自動取引装置の構成を示す斜視図である。
【図２】紙幣入出金機の構成を示す右側面図である。
【図３】第１の実施の形態による紙幣収納庫の構成（１）を示し、（Ａ）は正面図、（Ｂ）は右側面図である。
【図４】第１の実施の形態による紙幣収納庫の構成（２）を示し、（Ａ）は正面図、（Ｂ）は右側面図である。
【図５】第１の実施の形態による紙幣収納庫の構成（３）を示し、（Ａ）は正面図、（Ｂ）は右側面図である。
【図６】第２の実施の形態による紙幣収納庫の構成（１）を示し、（Ａ）は正面図、（Ｂ）は右側面図、（Ｃ）はステージの平面図である。
【図７】第２の実施の形態による紙幣収納庫の構成（２）を示し、（Ａ）は正面図、（Ｂ）は右側面図である。
【図８】第２の実施の形態による紙幣収納庫の構成（３）を示し、（Ａ）は正面図、（Ｂ）は右側面図である。
【図９】第３の実施の形態による紙幣収納庫の構成（１）を示し、（Ａ）は正面図、（Ｂ）は右側面図である。
【図１０】第３の実施の形態による紙幣収納庫の構成（２）を示し、（Ａ）は正面図、（Ｂ）は右側面図である。
【図１１】第３の実施の形態による紙幣収納庫の構成（３）を示し、（Ａ）は前側持上状態の右側面図、（Ｂ）は後側持上状態の右側面図である。
【図１２】他の実施の形態による紙幣収納庫の構成を示し、（Ａ）は正面図、（Ｂ）は右側面図、（Ｃ）はステージの平面図である。
【発明を実施するための形態】
【００１５】
以下、発明を実施するための形態（以下実施の形態とする）について、図面を用いて説明する。
【００１６】
［１．第１の実施の形態］
［１−１．現金自動取引装置の構成］
図１に外観を示すように、現金自動取引装置１は、箱状の筐体２を中心に構成されており、例えば金融機関等に設置され、顧客との間で入金取引や出金取引等の現金に関する取引を行うようになされている。筐体２は、その前側に顧客が対峙した状態で紙幣の投入やタッチパネルによる操作等をしやすい箇所、すなわち前面の上部から上面に渡る部分が斜めに切り落とされたような形状となっており、この部分に接客部３が設けられている。
【００１７】
接客部３は、カード入出口４、入出金口５、操作表示部６、テンキー７及びレシート発行口８が設けられており、顧客との間で現金や通帳等を直接やり取りすると共に、取引に関する情報の通知や操作指示の受付を行うようになされている。
【００１８】
カード入出口４は、キャッシュカード等の各種カードが挿入又は排出される部分である。カード入出口４の奥側には、各種カードに磁気記録された口座番号等の読み取りを行うカード処理部（図示せず）が設けられている。入出金口５は、顧客が入金する紙幣が投入されると共に、顧客へ出金する紙幣が排出される部分である。また入出金口５は、シャッタを駆動することにより開放又は閉鎖するようになされている。操作表示部６は、取引に際して操作画面を表示するＬＣＤ（Liquid Crystal Display）と、取引の種類の選択、暗証番号や取引金額等を入力するタッチパネルとが一体化されている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００１９】
筐体２内には、現金自動取引装置１全体を統括制御する主制御部９や、紙幣に関する種々の処理を行う紙幣入出金機１０等が設けられている。以下では、現金自動取引装置１のうち顧客が対峙する側を前側とし、その反対を後側とし、当該前側に対峙した顧客から見て左及び右をそれぞれ左側及び右側とし、さらに上側及び下側を定義して説明する。
【００２０】
筐体２は、前面を覆う前扉２Ａ及び後面を覆う後扉（図示せず）がそれぞれ開閉可能に構成されている。すなわち筐体２は、顧客との間で現金に関する取引を行う取引動作時には、前扉２Ａ等を閉塞することにより、内部に保有している紙幣や硬貨等を保護する。一方筐体２は、金融機関の職員等の保守作業者が紙幣の補充・回収等を行う保守作業時には、必要に応じて前扉２Ａ等を開放することにより、内部の各部に対する作業を容易に行わせ得るようになされている。
【００２１】
［１−２．紙幣入出金機の内部構成］
図２に示すように紙幣入出金機１０は、制御部１２（図１）が各部（紙幣入出金部１６、搬送部２４、鑑別部１８、一時保留部２０、紙幣収納庫２６（２６ａ、２６ｂ、２６ｃ及び２６ｄ）、リジェクト庫２８、取忘れ回収庫２２及び損券収納庫３０）を統括制御する。制御部１２は、図示しないＣＰＵ（Central Processing Unit）を中心に構成されており、ＲＯＭ（Read Only Memory）、ＲＡＭ（Random Access Memory）、ハードディスクドライブやフラッシュメモリ等でなる記憶部１４（図１）から所定のプログラムを読み出して実行することにより、各部を制御して入金取引や出金取引等の種々の処理を行う。
【００２２】
紙幣入出金機１０の内部には、上側に紙幣入出金部１６と、紙幣の金種や真偽を判定する鑑別部１８と、入金紙幣等を一時的に保留する一時保留部２０とが設けられている。
【００２３】
紙幣入出金部１６は、紙幣を集積して収納する収納空間を有しており、紙幣が投入されると、入出金口５（図１）のシャッタを閉じてから紙幣を１枚ずつ取り出し、搬送部２４へ受け渡す。
【００２４】
搬送部２４は、図示しないローラやベルト等により、図中太線で示す搬送路に沿って長方形の紙幣を短手方向に搬送する。搬送部２４は、鑑別部１８を前後方向に挿通させるように紙幣を搬送し、当該鑑別部１８の後側と一時保留部２０、紙幣入出金部１６、紙幣収納庫２６、損券収納庫３０、取忘れ回収庫２２及びリジェクト庫２８とをそれぞれ接続している。また搬送部２４は、鑑別部１８の前側と一時保留部２０、紙幣入出金部１６、紙幣収納庫２６、損券収納庫３０、取忘れ回収庫２２及びリジェクト庫２８とをそれぞれ接続している。
【００２５】
鑑別部１８は、その内部で紙幣を搬送しながら、光学素子や磁気検出素子等を用いて当該紙幣の金種及び真偽、並びに損傷の程度等（正損）を鑑別し、その鑑別結果を制御部１２へ通知する。これに応じて制御部１２は、取得した鑑別結果に基づいて当該紙幣の搬送先を決定する。
【００２６】
一時保留部２０は、入金時に顧客が紙幣入出金部１６へ投入した紙幣を一時的に保留し、鑑別部１８で入金可能と鑑別された正常紙幣を入金が確定するまで一時的に保留する一方、入金不可と鑑別されたリジェクト紙幣を、紙幣入出金部１６へ排出する。
【００２７】
また紙幣入出金機１０の内部には、下側に金種別の紙幣収納庫２６と、鑑別部１８においてリジェクト紙幣と鑑別された紙幣を格納する損券収納庫３０と、取引時に顧客が紙幣入出金部１６から取り忘れた紙幣を回収して格納する取忘れ回収庫２２と、５千券や２千券等の還流されない金種の紙幣を格納するリジェクト庫２８とが設けられている。
【００２８】
紙幣収納庫２６は、複数の紙幣収納庫２６ａ〜２６ｄが前後方向に並んで配置されており、上方向に引き抜かれることによりそれぞれ筐体２から着脱可能な着脱式となっている。また紙幣収納庫２６は、収納排出機構により、搬送部２４から搬送されてきた紙幣を取り込んで収納すると共に、収納されている紙幣を排出して搬送部２４へ供給するようになされている。
【００２９】
［１−３．紙幣収納庫の構成］
図３に示すように紙幣収納庫２６は、例えば、６枚の金属板を組み合わせるようにして上下に長い箱型に形成された収納庫ケース３２を有し、当該収納庫ケース３２の天板３２Ｕの前寄りに、左右方向と平行にスリット状の紙幣入出金口３４が形成されている。
【００３０】
紙幣収納庫２６の各部分は、収納庫制御部３５により制御される。収納庫制御部３５は、制御部１２と同様に、図示しないＣＰＵを中心に構成されており、図示しないＲＯＭやフラッシュメモリ等から所定のプログラムを読み出して実行し、また制御部１２などの他の制御部と連携することにより、紙幣汚損動作等の種々の処理を制御する。この紙幣収納庫２６は、外部から不正なアクセスがあった場合であっても通電状態を保つか、又は無停電電源装置（ＵＰＳ：Uninterruptible Power Supply）等の電源機能により電源が供給されることにより、後述するステージモータ５８等が動作可能となっている。
【００３１】
また紙幣収納庫２６には、図示しない破壊検知センサが設けられており、外部から所定の振動が加わったことを破壊行為として検知し、検知結果を収納庫制御部３５へ通知する。
【００３２】
また収納庫ケース３２には、上下に長く延在し紙幣を収納する空間である紙幣収納部３６が設けられていると共に、収納庫制御部３５の制御に基づきステージ４０を昇降動作させる昇降駆動部３８が設けられている。昇降駆動部３８は、収納庫制御部３５、ステージモータ５８、ステージモータギア６０、ステージ駆動ギア５６、プーリ駆動軸５２、プーリ４８、ステージベルト５４、プーリ支持軸５０及びステージガイド４６により構成されている。
【００３３】
さらに収納庫ケース３２内には、複数の紙幣を積層するように載置させる長方形で平板状のステージ４０が設けられている。ステージ４０は、左右に沿う長手方向（以下、これをステージ長手方向とも呼ぶ）の両端における短手方向（前後方向）のほぼ中央部に設けられたステージ支持部４２により、ステージベルト５４と固定されている。またステージ４０におけるステージ支持部４２の後方にはステージ摺動部４４が設けられており、当該ステージ摺動部４４には、図示しないガイドローラがガイド軸を中心にして左右方向の外側へ突出するよう回動可能に取り付けられている。
【００３４】
一方、ステージ４０の左側及び右側には、ステージ摺動部４４と対向する位置において収納庫ケース３２の上端近傍から下端近傍に亘る上下方向に沿って細長い溝であるステージガイド４６が設けられている。このステージガイド４６の前後方向の幅は、ステージ摺動部４４のガイドローラの直径よりも僅かに大きくなっている。ステージ４０は、ステージ長手方向を左右方向と平行にした姿勢で、ステージ摺動部４４がステージガイド４６に係合されている。これにより紙幣収納庫２６は、ステージガイド４６を介して内部にステージ４０を上方向及び下方向に移動可能（すなわち昇降可能）に支持している。
【００３５】
このステージ４０は、紙幣を繰出ローラ６８に押し付けてそれ以上上方へ移動しない位置である図４に示すステージ上端位置と、最も下方へ移動した位置である図５に示すステージ下端位置との間を移動可能に構成されている。このためステージ上端位置は、ステージ４０に載置された紙幣の枚数に応じて変化する。収納庫制御部３５は、例えばフォトインタラプタで構成された図示しないステージ位置検出センサにより、ステージ上端位置又はステージ下端位置にあるステージ４０を検出する。
【００３６】
また昇降駆動部３８は、等しい直径及び幅を有する４つのプーリ４８（４８ＵＬ、４８ＵＲ、４８ＤＬ及び４８ＤＲ）と、当該プーリ４８の幅よりも僅かに長い２本のプーリ支持軸５０と、紙幣収納部３６の左右の幅よりも長い１本のプーリ駆動軸５２とを有している。
【００３７】
プーリ支持軸５０は、左右方向に沿って、収納庫ケース３２の左側壁３２Ｌ及び右側壁３２Ｒの内面においてステージガイド４６の上端部の前側に植設されている。プーリ支持軸５０は、左側壁３２Ｌ及び右側壁３２Ｒの内面からそれぞれ右側及び左側に突出している先端部をプーリ４８ＵＬ及び４８ＵＲの中心に穿設された孔部に挿入するようにして、当該プーリ４８ＵＬ及び４８ＵＲを図３（Ｂ）中時計回り及び反時計回りへ回動可能に支持している。
【００３８】
収納庫ケース３２の左側壁３２Ｌ及び右側壁３２Ｒは、一対のプーリ支持軸５０の真下となるステージガイド４６の下端部の前側に軸支持孔部が対向させて穿設されている。プーリ駆動軸５２は、左右方向に沿って、左側壁３２Ｌ及び右側壁３２Ｒの軸支持孔部に挿通し、それぞれプーリ４８ＵＬ及び４８ＵＲの真下に設けられたプーリ４８ＤＬ及び４８ＤＲの中心に穿設された孔部に挿入するようにして、当該プーリ４８ＤＬ及び４８ＤＲを図３（Ｂ）中時計回り及び反時計回りへ回動可能に支持することにより、ステージベルト５４Ｒ及び５４Ｌの動作を同期させる。
【００３９】
昇降駆動部３８は、プーリ４８ＵＬからプーリ４８ＤＬに亘り無端状のステージベルト５４Ｌが上下方向に沿って張架されている。また昇降駆動部３８は、プーリ４８ＵＲからプーリ４８ＤＲに亘り無端状のステージベルト５４Ｒが上下方向に沿って張架されている。以下ではステージベルト５４Ｌ及び５４Ｒをまとめてステージベルト５４とも呼ぶ。
【００４０】
さらに昇降駆動部３８は、プーリ駆動軸５２における左右方向のほぼ中央部にステージ駆動ギア５６が取り付けられている。また昇降駆動部３８は、紙幣収納部３６の下方に配置されたステージモータ５８を有し、当該ステージモータ５８の出力軸に取り付けられたステージモータギア６０をステージ駆動ギア５６に歯合させている。このステージモータ５８は、高速でも発生するトルクが比較的に大きく高速回転可能なモータであり、例えばステッピングモータ（パルスモータ）やホールセンサ内蔵のＤＣブラシレスモータ等である。
【００４１】
これにより昇降駆動部３８は、収納庫制御部３５の制御に基づきステージモータ５８を図３（Ｂ）中時計回り（以下では上昇回転方向とも呼ぶ）へ回転させ、ステージモータギア６０及びプーリ駆動軸５２に回転力を伝達させ、これに連動させてプーリ４８ＤＬ及びＤＲと共にステージベルト５４Ｌ及び５４Ｒを回転させる。これにより昇降駆動部３８は、ステージベルト５４を介してステージ４０を水平にしたまま上昇させる（すなわち、上方向へ移動させる）。一方昇降駆動部３８は、収納庫制御部３５の制御に基づきステージモータ５８を図３（Ｂ）中反時計回り（以下では下降回転方向とも呼ぶ）へ回転させ、ステージモータギア６０及びプーリ駆動軸５２に回転力を伝達させ、これに連動させてプーリ４８ＤＬ及びＤＲと共にステージベルト５４Ｌ及び５４Ｒを回転させる。これにより昇降駆動部３８は、ステージベルト５４を介してステージ４０を水平にしたまま下降させる（すなわち、下方向へ移動させる）。
【００４２】
また紙幣収納庫２６は、紙幣収納部３６と収納庫ケース３２の紙幣入出金口３４とを繋いで紙幣ＢＬを収納用及び繰出用に通す紙幣取込繰出路６２が設けられている。また紙幣収納部３６の上端には、入金時に紙幣取込繰出路６２から紙幣収納部３６へ紙幣ＢＬが放出される際に当該紙幣ＢＬの上面をガイドする板状の上面ガイド６４が設けられている。紙幣収納庫２６は、この上面ガイド６４とステージ４０との間で、紙幣収納部３６を形成している。さらに紙幣収納庫２６は、左側壁３２Ｌ及び右側壁３２Ｒにおいて上面ガイド６４の下側にローラ回動軸６６を左右方向と平行にして図３（Ｂ）中時計回り及び反時計回りに回動可能に支持している。ローラ回動軸６６には、複数（例えば３つ）の円筒形状の繰出ローラ６８が、それぞれ中心に穿設された孔部を介して所定の間隔で取り付けられている。繰出ローラ６８は、紙幣繰出時に図３（Ｂ）中時計回りに回転することにより、ステージ４０に載置されている紙幣ＢＬを図示しない紙幣取込繰出路６２へ送り出す。
【００４３】
また、紙幣収納部３６の後方には、収納庫制御部３５、インクタンク７０、インクノズル７２及びインク噴射口７４により構成される紙幣汚損部が６９設けられている。
【００４４】
インクタンク７０は、ステージ下端位置におけるステージ４０の下側に設けられ、その内部に例えばカーボン粒子を混入したインクを貯留しており、収納庫制御部３５の制御に基づき、内蔵されたガス発生部からガスを発生させて押出板を移動させ、当該インクをインクノズル７２へ移動させる。
【００４５】
インクノズル７２は、中空のパイプであり、下端がインクノズル７２と接続され、紙幣収納部３６の後方において当該紙幣収納部３６の上端から下端に亘って配設されている。またインクノズル７２は、紙幣ＢＬの長手方向のほぼ中央部において上下方向に沿って配設されている共に、紙幣ＢＬの長手方向の左右両側の外側において上下方向に沿って配設されている。このインクノズル７２には、インクを噴射するインク噴射口７４が上下方向に所定間隔を空けて形成されている。
【００４６】
かかる構成において、入金取引時、収納庫制御部３５は、ステージモータ５８を上昇回転方向へ回転させてステージガイド４６に沿ってステージ４０を上昇させ、紙幣入出金口３４から紙幣ＢＬを紙幣収納部３６へ取り込みステージ４０上に重ねて整列させる。ステージ４０上に載置された紙幣ＢＬの枚数が増えると、収納庫制御部３５は、紙幣ＢＬの枚数に応じてステージ４０を下降させる。収納庫制御部３５は、かかる動作を繰り返すことにより、ステージ４０上へ紙幣ＢＬを縦方向に重ねて堆積させていく。一方出金取引時、収納庫制御部３５は、ステージ４０を上昇させて紙幣ＢＬを繰出ローラ６８に押し付けて図示しないモータで繰出ローラ６８を駆動し紙幣入出金口３４から紙幣ＢＬを繰り出す。
【００４７】
［１−４．紙幣汚損動作］
破壊検知センサが、例えば現金自動取引装置１の前扉２Ａのこじ開け等の現金盗難目的の不正なアクセスがあったことを検出すると、収納庫制御部３５は、ステージモータ５８を上昇回転方向へ回転させて図４に示すようにステージ上端位置までステージ４０を上昇させ、紙幣ＢＬを繰出ローラ６８に押し付け、その後紙幣ＢＬが落下する空間を可能な限り広げる。以下ではこの動作をステージ上昇動作とも呼ぶ。
【００４８】
続いて収納庫制御部３５は、ステージモータ５８を下降回転方向へ回転させて図５に示すようにステージ４０を高速でステージ下端位置まで下降させつつ、インクタンク７０からインクを送り出しインクノズル７２を経由してインク噴射口７４から当該インクを噴射させる。以下ではこの動作をステージ下降インク噴射動作とも呼ぶ。このとき収納庫制御部３５は、紙幣ＢＬの自重による下降の速さよりも速いスピードでステージ４０を下降させることにより、落下中の隣り合う紙幣ＢＬ同士の間に隙間を形成させる。
【００４９】
ステージ４０がステージ下端位置まで移動すると、収納庫制御部３５は、再びステージ４０をステージ上端位置まで移動させて紙幣ＢＬを繰出ローラ６８に押し付けた後、ステージ４０をステージ下端位置まで高速で下降させつつインク噴射口７４からインクを噴射させる。その後収納庫制御部３５は、ステージ上昇動作及びステージ下降インク噴射動作を所定回数繰り返す。
【００５０】
［１−５．効果］
以上の構成において紙幣入出金機１０は、ステージ４０をステージ上端位置まで移動させて紙幣ＢＬを繰出ローラ６８に押し付けた後、ステージ４０をステージ下端位置まで高速で下降させつつインク噴射口７４からインクを噴射するようにした。
【００５１】
従来の紙幣収納庫においては、紙幣及びステージが自重で下降する際に紙幣にインクを噴射していたため、紙幣同士の隙間が小さく、紙幣の側面に多くのインクが付着してしまい、紙幣の上面及び下面にまでインクが入り込みにくかった。これに対し紙幣収納庫２６は、重なった紙幣を繰出ローラ６８に押し付けてからステージ４０を高速に、紙幣の自重による落下のスピードよりも速く下降させる。このとき、紙幣は軽いために、紙幣が自重で落下する間、重なった紙幣間に隙間が空くため、紙幣収納庫２６は、紙幣の上面及び下面の表面に多くのインクを入り込ませることができる。
【００５２】
また従来の紙幣収納庫においては、インクの液圧でステージの保持を解放するため、ステージが１回下降する動作でインクを付着させる必要があり、往復移動しながら繰り返しインク付着動作を行うことはできず、インクの付着面積が小さい紙幣が存在する可能性があった。これに対し紙幣収納庫２６は、ステージ４０をステージモータ５８で駆動するようにしたため、ステージ上昇動作及びステージ下降インク噴射動作を任意の回数だけ繰り返し行うことができ、ステージ４０を１回上昇させるだけや１回下降させるだけの場合と比べて、インクの付着面積をさらに増加させることができる。
【００５３】
このように現金自動取引装置１は、従来の現金自動取引装置と比べてインクの付着面積を増加させることができるため、より一層、紙幣を盗難しても使用できないことを知らしめることで犯罪を抑止したり、盗難した紙幣を持ち出されたとしても現金自動取引装置で取引できないようにしたり、紙幣の流通経路を辿ることで盗難した人間の特定に繋げたりすることができる。
【００５４】
また、特開２０１２−２５２４７９号公報に記載されているように、さばき板等で紙幣間に隙間を発生させながらインクを噴射することによりインク付着面積を大きくすることも考えられる。しかしながらこの場合、さばき板等の部材が必要となり構成が複雑化してしまうと共に、インクの勢いでステージが上方へ一方向に移動するのみであるため、往復移動しながらのインク付着動作はできない。これに対し紙幣収納庫２６は、ステージモータ５８によりステージ４０を上昇させてから高速に下降させるという動作を行うだけで良いため、構成を簡略化させ使用する部材を削減することにより部材コストを低下させることができると共に、ステージ上昇動作及びステージ下降インク噴射動作を繰り返し行いインク付着面積をより増加させることができる。
【００５５】
以上の構成によれば紙幣入出金機１０は、上下方向に沿って重なって堆積するように紙幣を収納する紙幣収納部３６と、紙幣収納部３６の下方に設けられ紙幣を整列保持するステージ４０と、ステージ４０をほぼ上下方向に沿って移動させる昇降駆動部３８と、不正行為としての破壊行為が検知されると昇降駆動部３８によりステージ４０を上昇させるステージ上昇動作を行った後、ステージ４０を下降させながら紙幣を着色するインクを蓄える貯蔵部としてのインクタンク７０からインクを噴射するステージ下降インク噴射動作を行い、紙幣を汚損する紙幣汚損部６９とを設けるようにした。これにより紙幣入出金機１０は、不正行為の発生時、より一層紙幣にインクを付着させることができる。
【００５６】
［２．第２の実施の形態］
［２−１．紙幣入出金機の構成］
図１及び図２に示すように、第２の実施の形態による現金自動取引装置１０１の紙幣入出金機１１０は、第１の実施の形態による現金自動取引装置１の紙幣入出金機１０と比べて、紙幣収納庫１２６（１２６ａ、１２６ｂ、１２６ｃ及び１２６ｄ）が紙幣収納庫２６（２６ａ、２６ｂ、２６ｃ及び２６ｄ）と異なっているものの、それ以外は同様に構成されている。
【００５７】
［２−２．紙幣収納庫の構成］
図６に示すように、紙幣収納庫１２６は紙幣収納庫２６（図３）と比べて、収納庫制御部１３５が収納庫制御部３５と、ステージ１４０がステージ４０と異なっているものの、それ以外は同様に構成されている。ステージ１４０は、繰出ローラ６８と上下方向に対向する位置に長方形状のステージ孔部８０が穿設されている。ステージ孔部８０の大きさは、繰出ローラ６８の直径よりも大きく形成されている。この繰出ローラ６８及びステージ孔部８０が、窪み形成部として機能する。
【００５８】
かかる構成において破壊検知センサが、現金自動取引装置１０１に対する現金盗難目的の不正なアクセスがあったことを検出すると、収納庫制御部１３５は、ステージモータ５８を上昇回転方向へ回転させて図７に示すようにステージ１４０を上昇させてステージ上端位置まで移動させ、紙幣ＢＬを繰出ローラ６８に押し付ける。このとき紙幣ＢＬは、繰出ローラ６８に押し付けられている部分がステージ孔部８０に向かって下方へ窪んだ状態に変形し、窪み部８１が形成される。
【００５９】
続いて収納庫制御部１３５は、ステージモータ５８を下降回転方向へ回転させて図８に示すようにステージ１４０を高速で下降させつつ、インク噴射口７４からインクを噴射させる。このとき収納庫制御部１３５は、紙幣ＢＬの自重による下降の速さよりも速いスピードでステージ１４０を下降させ、落下中の隣り合う紙幣ＢＬ同士の間に隙間を形成させる。その後収納庫制御部１３５は、ステージ上昇動作及びステージ下降インク噴射動作を所定回数繰り返す。
【００６０】
このとき紙幣ＢＬ同士の隙間から紙幣ＢＬ間に入り込んだインクが下に垂れ流れずに窪み部８１に流れ込むことにより、側面から溢れることが抑制されるため、紙幣収納庫１２６は、紙幣収納庫２６と比べてインクの付着面積をさらに増加させることができる。
【００６１】
その他第２の実施の形態による紙幣収納庫１２６は、第１の実施の形態による紙幣収納庫２６とほぼ同様の作用効果を奏する。
【００６２】
［３．第３の実施の形態］
［３−１．紙幣入出金機の構成］
図１及び図２に示すように、第３の実施の形態による現金自動取引装置２０１の紙幣入出金機２１０は、第１の実施の形態による現金自動取引装置１の紙幣入出金機１０と比べて、紙幣収納庫２２６（２２６ａ、２２６ｂ、２２６ｃ及び２２６ｄ）が紙幣収納庫２６（２６ａ、２６ｂ、２６ｃ及び２６ｄ）と異なっているものの、それ以外は同様に構成されている。
【００６３】
［３−２．紙幣収納庫の構成］
図９に示すように、紙幣収納庫２２６は紙幣収納庫２６（図３）と比べて、収納庫制御部２３５が収納庫制御部３５と、昇降駆動部２３８が昇降駆動部３８と、ステージ２４０がステージ４０と、紙幣汚損部２６９が紙幣汚損部６９と異なっており、傾き駆動部８２が追加されているものの、それ以外は同様に構成されている。
【００６４】
傾き駆動部８２は、ステージモータ５８、ステージ傾き駆動ソレノイド８４、クラッチ８６、ステージ傾き駆動ギア８８及びステージ傾きギア９０により構成されている。
【００６５】
傾き駆動部８２は、ステージモータ５８の上方にステージ傾き駆動ソレノイド８４を有し、当該ステージ傾き駆動ソレノイド８４の出力軸に取り付けられたクラッチ８６を駆動し、ステージ傾き駆動ギア８８を左右方向に沿って移動させる。実際上ステージ傾き駆動ソレノイド８４は、図９に示すようにクラッチ８６を結合させたクラッチ結合状態においては、ステージ傾き駆動ギア８８をステージモータギア６０及びステージ傾きギア９０に歯合させることにより、ステージモータギア６０の回転力をステージ傾きギア９０に伝達させる。一方ステージ傾き駆動ソレノイド８４は、図１０に示すようにクラッチ８６を分離させたクラッチ分離状態においては、ステージ傾き駆動ギア８８をステージモータギア６０及びステージ傾きギア９０に歯合させないことにより、ステージモータギア６０の回転力をステージ傾きギア９０に伝達させない。
【００６６】
ステージ２４０は、ステージモータギア６０と上下方向に対向する位置において側面視半円形状のステージ傾きギア９０が下方に突設している。またステージ傾きギア９０を仮想的に側面視円形状としたときの中心に相当する位置に穿設された孔部には、収納庫ケース３２の左側壁３２Ｌ及び右側壁３２Ｒの内面に植設された傾きギア軸９２が挿入され、当該傾きギア軸９２を中心としてステージ２４０を図９（Ｂ）中時計回り及び反時計回りへ回動可能に支持している。
【００６７】
また昇降駆動部２３８におけるステージガイド２４６は、昇降駆動部３８（図３）におけるステージガイド４６と比べて、下端部において前後方向に拡張された拡張部９４が形成されている。
【００６８】
これにより昇降駆動部２３８は、収納庫制御部２３５の制御に基づきステージモータ５８を上昇回転方向（以下では前側持上回転方向とも呼ぶ）へ回転させ、ステージモータギア６０及びプーリ駆動軸５２に回転力を伝達させ、これに連動させてプーリ４８ＤＬ及びＤＲと共にステージベルト５４Ｌ及び５４Ｒを回転させる。これにより昇降駆動部２３８は、ステージベルト５４を介してステージ２４０を上昇させる。
【００６９】
このとき傾き駆動部８２は、クラッチ結合状態とし、ステージモータ５８からの前側持上回転方向への回転力を、ステージモータギア６０からステージ傾き駆動ギア８８を介しステージ傾きギア９０に伝達させ、ステージ２４０を図９（Ｂ）中時計回りに回動させる。これにより傾き駆動部８２は、図１１（Ａ）に示すように前側が上方へ持ち上げるようにステージ２４０を回動させ前側持上状態とする。このときステージ摺動部４４は、ステージ２４０の回動に伴い第１の実施の形態の場合と比べて前方へ移動するが、ステージガイド２４６には拡張部９４が形成されているため、当該ステージガイド２４６がステージ２４０の回動を妨げることはない。
【００７０】
一方昇降駆動部２３８は、収納庫制御部２３５の制御に基づきステージモータ５８を下降回転方向（以下では後側持上回転方向とも呼ぶ）へ回転させ、ステージモータギア６０及びプーリ駆動軸５２に回転力を伝達させ、これに連動させてプーリ４８ＤＬ及びＤＲと共にステージベルト５４Ｌ及び５４Ｒを回転させる。これにより昇降駆動部２３８は、ステージベルト５４を介してステージ２４０を下降させる。
【００７１】
このとき傾き駆動部８２は、クラッチ結合状態とし、ステージモータ５８からの後側持上回転方向への回転力を、ステージモータギア６０からステージ傾き駆動ギア８８を介しステージ傾きギア９０に伝達させ、ステージ２４０を図９（Ｂ）中反時計回りに回動させる。これにより傾き駆動部８２は、図１１（Ｂ）に示すように後側が上方へ持ち上げるようにステージ２４０を回動させ後側持上状態とする。このときステージ摺動部４４は、ステージ２４０の回動に伴い第１の実施の形態の場合と比べてより前方へ移動するが、ステージガイド２４６には拡張部９４が形成されているため、当該ステージガイド２４６がステージ２４０の回動を妨げることはない。
【００７２】
紙幣汚損部２６９のインクノズル２７２は、紙幣収納部３６の後方及び前方において当該紙幣収納部３６の上端から下端に亘って配設されている。またインクノズル２７２は、紙幣ＢＬの前側及び後側の長手方向のほぼ中央部において上下方向に沿って配設されている共に、紙幣ＢＬの前側及び後側の長手方向の左右両側の外側において上下方向に沿って配設されている。
【００７３】
［３−３．紙幣汚損動作］
破壊検知センサが、現金自動取引装置２０１に対し現金盗難目的の不正なアクセスがあったことを検出すると、収納庫制御部２３５は、ステージモータ５８を下降回転方向へ回転させて図９に示すようにステージ下端位置までステージ２４０を下降させる。続いて収納庫制御部２３５は、ステージ傾き駆動ソレノイド８４を駆動しクラッチ結合状態とする。
【００７４】
続いて収納庫制御部２３５は、ステージモータ５８を上昇回転方向（すなわち前側持上回転方向）へ回転させて図１１（Ａ）に示すようにステージ２４０を上昇させつつ前側が上方へ持ち上げるようにステージ２４０を傾ける。このとき収納庫制御部２３５は、インク噴射口７４からインクを噴射させる。以下ではこの動作をステージ前側持上インク噴射動作とも呼ぶ。
【００７５】
続いて収納庫制御部２３５は、ステージモータ５８を下降回転方向（すなわち後側持上回転方向）へ回転させて図１１（Ｂ）に示すようにステージ２４０を下降させつつ後側が上方へ持ち上げるようにステージ２４０を傾ける。このとき収納庫制御部２３５は、インク噴射口７４からインクを噴射させる。以下ではこの動作をステージ後側持上インク噴射動作とも呼ぶ。
【００７６】
収納庫制御部２３５は、ステージ前側持上インク噴射動作及びステージ後側持上インク噴射動作を交互に高速に所定回数繰り返す。
【００７７】
このように紙幣収納庫２２６は、ステージ２４０の前側と後側とが交互に上方へ持ち上がるようにステージ２４０を面方向が水平方向に対し傾くよう高速に繰り返し傾けつつインク噴射口７４からインクを噴射するようにした。これにより紙幣収納庫２２６は、ステージ２４０上で紙幣を飛び跳ねさせて着地させる挙動を繰り返させ、重なった紙幣をバラけさせて紙幣表面を露出させ、インクの付着面積を増加させることができる。
【００７８】
また紙幣収納庫２２６は、紙幣の面に沿う面方向を水平方向にせず、傾けるようにした。これによりインクが紙幣表面の高い側から低い側へ向かって流れ、紙幣収納庫２２６は、インクの付着面積をより増加させることができる。
【００７９】
さらに紙幣収納庫２２６は、ステージ２４０をステージモータ５８で駆動するようにしたため、ステージ前側持上インク噴射動作及びステージ後側持上インク噴射動作を任意の回数だけ繰り返し行うことができ、インクの付着面積をより増加させることができる。
【００８０】
その他第３の実施の形態による紙幣収納庫２２６は、第１の実施の形態による紙幣収納庫２６とほぼ同様の作用効果を奏する。
【００８１】
［４．他の実施の形態］
なお上述した第１の実施の形態においては、ステージ４０を上昇させ紙幣ＢＬを繰出ローラ６８に押し付ける場合について述べた。本発明はこれに限らず、入金専用の紙幣収納庫であり繰出ローラ６８が存在しない場合、ステージ４０を上昇させ紙幣ＢＬを上面ガイド６４に押し付けても良い。
【００８２】
また上述した第２の実施の形態においては、ステージ１４０において繰出ローラ６８と対向する位置にステージ孔部８０を設ける場合について述べた。本発明はこれに限らず、入金専用の紙幣収納庫であり繰出ローラ６８が存在しない場合、図１２に示す紙幣収納庫３２６のように、下方へ突出する側面視台形状である突出部としての押付突起９６を上面ガイド３６４に設け、ステージ１４０において押付突起９６と対向する位置にステージ孔部８０を設けても良い。この場合、紙幣ＢＬが押付突起９６に押し付けられることにより、紙幣に窪み部が形成される。また押付突起９６は下端部が繰出ローラのように湾曲形状でも良く、種々の形状であって良い。さらに押付突起９６は３個に限らず、任意の個数設けても良い。要は紙幣に窪み部を形成できれば良い。また、押付突起９６を、繰出ローラ６８に接触しない位置に設け、押付突起９６と繰出ローラ６８とを併用し、ステージにおいて押付突起９６及び繰出ローラ６８と対向する位置にステージ孔部を設けても良い。
【００８３】
さらに上述した第１及び第２の実施の形態においては、ステージ上昇動作とステージ下降インク噴射動作とを繰り返す場合について述べた。本発明はこれに限らず、ステージ上昇動作とステージ下降インク噴射動作とを一度のみ行うようにしても良い。
【００８４】
さらに上述した第３の実施の形態においては、ステージ前側持上インク噴射動作及びステージ後側持上インク噴射動作を繰り返す場合について述べた。本発明はこれに限らず、ステージ前側持上インク噴射動作及びステージ後側持上インク噴射動作を一度のみ行うようにしても良い。
【００８５】
さらに上述した第１及び第２の実施の形態においては、ステージ上端位置からステージ下端位置までステージ４０又は１４０を往復移動させる場合について述べた。本発明はこれに限らず、ステージ上端位置からステージ下端位置までの間の種々の位置をステージ４０又は１４０を往復移動させても良い。また、ステージ４０又は１４０の上下移動を繰り返す間に、ステージ４０又は１４０を移動させる上端の位置と下端の位置とを変化させても良い。さらに、ステージ４０又は１４０を上下移動させる距離を極短くしてステージ４０又は１４０を振動させるように動作させても良い。
【００８６】
さらに上述した第１及び第２の実施の形態においては、ステージ上昇動作中はインクを噴射しない場合について述べた。本発明はこれに限らず、ステージ上昇動作中にインクを噴射するようにしても良い。
【００８７】
さらに上述した第１及び第２の実施の形態においては、紙幣ＢＬの自重による下降の速さよりも速いスピードでステージ４０又は１４０を下降させる場合について述べた。本発明はこれに限らず、紙幣ＢＬの自重による下降の速さと同等か、紙幣ＢＬの自重による下降の速さよりも遅いスピードでステージ４０又は１４０を下降させても良い。
【００８８】
さらに、第１及び第２の実施の形態によるステージ４０又は１４０を上下移動させる機構は、上述した昇降駆動部３８に限らず、種々の機構で良い。さらに、第３の実施の形態によるステージ２４０を傾ける機構は、上述した昇降駆動部２３８に限らず、種々の機構で良い。
【００８９】
さらに上述した第１及び第２の実施の形態による紙幣収納庫２６及び１２６においても、第３の実施の形態による紙幣収納庫２２６のように、紙幣収納部３６の前後両側にインクノズル２７２及びインク噴射口７４を設けても良い。
【００９０】
さらに上述した実施の形態においては、３個の繰出ローラ６８を設ける場合について述べたが、本発明はこれに限らず、任意の個数の繰出ローラを設けて良い。
【００９１】
さらに上述した実施の形態においては、繰出ローラ６８の下方にプーリ支持軸５０を設ける場合について述べたが、本発明はこれに限らず、繰出ローラ６８の上方において収納庫ケース３２の左側壁３２Ｌから右側壁３２Ｒまで亘るプーリ支持軸を設けても良い。
【００９２】
さらに上述した実施の形態においては、紙幣を取引する現金自動取引装置１、１０１及び２０１において本発明を適用する場合について述べた。本発明はこれに限らず、例えば債権、証書、商品券、金券や入場券等のような薄い紙状の媒体を取り扱う種々の装置に適用しても良い。また、例えば紙幣を入出する紙幣入出金機や紙幣を所定枚数毎に施封する施封小束支払機等、紙幣や硬貨の取引に関する種々の処理を行う複数種類の装置の組み合わせにより構成された現金処理装置に本発明を適用してもよい。
【００９３】
さらに上述した実施の形態においては、入金取引及び出金取引を行う現金自動取引装置に本発明を適用する場合について述べたが、入金取引又は出金取引の何れか一方のみを行う装置に本発明を適用しても良い。
【００９４】
さらに上述した第１及び第２の実施の形態においては、紙幣収納部としての紙幣収納部３６と、ステージとしてのステージ４０又は１４０と、駆動部としての昇降駆動部３８と、紙幣汚損部としての紙幣汚損部６９とによって、現金収納装置としての紙幣収納庫２６又は１２６を構成する場合について述べた。本発明はこれに限らず、その他種々の構成でなる紙幣収納部と、ステージと、駆動部と、紙幣汚損部によって、現金収納装置を構成しても良い。
【００９５】
さらに上述した第３の実施の形態においては、紙幣収納部としての紙幣収納部３６と、ステージとしてのステージ２４０と、駆動部としての傾き駆動部８２と、紙幣汚損部としての紙幣汚損部２６９とによって、現金収納装置としての紙幣収納庫２２６を構成する場合について述べた。本発明はこれに限らず、その他種々の構成でなる紙幣収納部と、ステージと、駆動部と、紙幣汚損部とによって、現金収納装置を構成しても良い。
【００９６】
さらに上述した第１及び第２の実施の形態においては、接客部としての接客部３と、紙幣収納部としての紙幣収納部３６と、ステージとしてのステージ４０又は１４０と、駆動部としての昇降駆動部３８と、紙幣汚損部としての紙幣汚損部６９とによって、現金取引装置としての現金自動取引装置１又は１０１を構成する場合について述べた。本発明はこれに限らず、その他種々の構成でなる接客部と、紙幣収納部と、ステージと、駆動部と、紙幣汚損部とによって、現金取引装置を構成しても良い。
【００９７】
さらに上述した第３の実施の形態においては、接客部としての接客部３と、紙幣収納部としての紙幣収納部３６と、ステージとしてのステージ２４０と、駆動部としての傾き駆動部８２と、紙幣汚損部としての紙幣汚損部６９とによって、現金取引装置としての現金自動取引装置２０１を構成する場合について述べた。本発明はこれに限らず、その他種々の構成でなる接客部と、紙幣収納部と、ステージと、駆動部と、紙幣汚損部とによって、現金取引装置を構成しても良い。
【産業上の利用可能性】
【００９８】
本発明は、防盗性を要する現金を取扱う種々の装置でも利用できる。
【符号の説明】
【００９９】
１、１０１、２０１……現金自動取引装置、２……筐体、３……接客部、４……カード入出口、５……入出金口、６……操作表示部、７……テンキー、８……レシート発行口、９……主制御部、１０、１１０、２１０……紙幣入出金機、１２……制御部、１４……記憶部、１６……紙幣入出金部、１８……鑑別部、２０……一時保留部、２２……取忘れ回収庫、２４……搬送部、２６、１２６、２２６、３２６……紙幣収納庫、２８……リジェクト庫、３０……損券収納庫、３２……収納庫ケース、３２Ｕ……天板、３６Ｌ……左側壁、３６Ｒ……右側壁、３４……紙幣入出金口、３５、２３５……収納庫制御部、３６……紙幣収納部、３８、２３８……昇降駆動部、４０、１４０、２４０……ステージ、４２……ステージ支持部、４４……ステージ摺動部、４６、２４６……ステージガイド、４８……プーリ、５０……プーリ支持軸、５２……プーリ駆動軸、５４……ステージベルト、５６……ステージ駆動ギア、５８……ステージモータ、６０……ステージモータギア、６２……紙幣取込繰出路、６４、３６４……上面ガイド、６６……ローラ回動軸、６８……繰出ローラ、６９、２６９……紙幣汚損部、７０……インクタンク、７２、２７２……インクノズル、７４……インク噴射口、８０……ステージ孔部、８１……窪み部、８２……傾き駆動部、８４……ステージ傾き駆動ソレノイド、８６……クラッチ、８８……ステージ傾き駆動ギア、９０……ステージ傾きギア、９２……傾きギア軸、９４……拡張部、９６……押付突起、ＢＬ……紙幣。
【図１】
2015153242.tif 000003
【図２】
2015153242.tif 000004
【図３】
2015153242.tif 000005
【図４】
2015153242.tif 000006
【図５】
2015153242.tif 000007
【図６】
2015153242.tif 000008
【図７】
2015153242.tif 000009
【図８】
2015153242.tif 000010
【図９】
2015153242.tif 000011
【図１０】
2015153242.tif 000012
【図１１】
2015153242.tif 000013
【図１２】
2015153242.tif 000014